(57)【要約】【課題】火災感知器および既設の感知器ベースに取り付け可能な、感知器回線を介して火災感知器から信号を受信し、異常信号を受信した際に終端抵抗と感知器回線との接続を断続的に切り離す機能を備えた終端装置を提供することを目的としている。【解決手段】終端装置は、設置面に取り付けられ感知器回線３を内部に引き込むための穴である引き込み口５４が形成された感知器ベース５０と、感知器ベース５０に固定された火災感知器２０と、の間に形成される引き込み口５４の空間内に収納可能に構成され、感知器ベース５０に設けられ、感知器回線３が接続された導電性の端子部５１に配線コード４２を接続可能にしている。【選択図】図７
2014153810.tif 000002
【特許請求の範囲】
【請求項１】
終端抵抗を有するプリント基板と、
該プリント基板と電気的に接続された配線コードと、を備え、
設置面に取り付けられ、感知器回線を内部に引き込むための穴である引き込み口が形成された感知器ベースと、該感知器ベースに固定された火災感知器と、の間に形成される前記引き込み口の空間内に収納可能に構成され、
前記感知器ベースに設けられ、前記感知器回線が接続された導電性の端子部に前記配線コードを接続可能にしている
ことを特徴とする終端装置。
【請求項２】
前記プリント基板は、前記感知器回線を介して火災感知器から異常信号を受信し、該異常信号を受信した際に、前記終端抵抗と前記感知器回線との接続を切り離すことを特徴とする請求項１に記載の終端装置。
【請求項３】
一端面が開口して内側が空洞であり、前記プリント基板を前記一端面から前記内側に挿入して取り付ける基板カバーを備え、
前記基板カバーは、
外部と連通し、前記配線コードを通す穴を２つ有するコード保持部が設けられており、
前記配線コードは、
一方の穴に前記基板カバーの内側から前記外部へ向かって通された後、もう一方の穴に前記外部から前記基板カバーの内側へ向かって通されることにより、前記コード保持部に取り付けられる
ことを特徴とする請求項１または２に記載の終端装置。
【発明の詳細な説明】
【技術分野】
【０００１】
本発明は、感知器回線の終端に接続される終端装置に関するものである。
【背景技術】
【０００２】
例えば、従来の火災報知設備には、火災受信機が中央監視室内に配設されて、火災受信機から感知器回線としてライン線と、コモン線が配設され、ライン線とコモン線は終端抵抗を介して接続されているものがある（例えば、特許文献１参照）。
このような火災受信機は、Ｐ型火災受信機と呼ばれ、ライン線とコモン線との間の電圧を火災閾値、断線閾値等の各閾値との比較により火災等の判断をしている。
【０００３】
特許文献１に記載の火災報知設備では、感知器回線の配線の異常は判別できるが、火災感知器に不具合（異常）が発生した場合に、火災受信機で火災感知器の不具合を音声や表示等により報知することができなかった。
火災感知器に不具合が発生したことを火災受信機で報知させるためには、火災感知器に不具合が発生したことを火災受信機にパルス等の信号出力する自己点検機能を備える火災感知器を用いるとともに、火災感知器と通信を行う専用の火災受信機（例えば、Ｒ型）に取り替えなければならないという問題があった。
【０００４】
そこで、既設の火災受信機を取り替えることなく、火災感知器で発生した不具合を専用の火災受信機でない火災受信機でも報知することを可能とする火災報知設備およびそれに利用する火災感知器が考えられる。
この場合、感知器回線の終端に接続される火災感知器には、感知器回線を介して火災感知器から信号を受信し、異常信号を受信した際に終端抵抗と感知器回線との接続を断続的に切り離す機能を追加することが考えられる。その機能を追加することで、専用の火災受信機でない場合でも、既設の火災受信機で火災感知器の不具合を報知することができ、感知器回線の配線が断線なのか、火災感知器の不具合であるのか、を火災受信機において判別することができる。
【０００５】
そのため、感知器回線の終端に接続される火災感知器に、感知器回線を介して火災感知器から信号を受信し、異常信号を受信した際に終端抵抗と感知器回線との接続を断続的に切り離す機能を備えた装置を搭載する必要がある。
従来において、火災感知器に機能を追加する際は、特許文献２に記載の火災感知器の中継器のように、追加装置のスペース確保のために感知器ベースに穴を開け、さらに設置面に大きな穴を開けて追加装置を設置面に埋め込んで取り付けていた。
【先行技術文献】
【特許文献】
【０００６】
【特許文献１】特開平６−１７６２８９号公報
【特許文献２】特開平７−２２５８８５号公報
【発明の概要】
【発明が解決しようとする課題】
【０００７】
そのため、追加装置取り付け専用の火災感知器や感知器ベースに取り替えなければならず、コストがかかるという課題があった。
また、上記のような取り付け方法では、設置場所を変更する際に設置面に開けた穴の修復が大がかりになるという課題があった。
【０００８】
本発明は、以上のような課題を解決するためになされたもので、火災感知器および既設の感知器ベースに取り付け可能な、感知器回線を介して火災感知器から信号を受信し、異常信号を受信した際に終端抵抗と感知器回線との接続を断続的に切り離す機能を備えた終端装置を提供することを目的としている。
【課題を解決するための手段】
【０００９】
本発明に係る終端装置は、終端抵抗を有するプリント基板と、プリント基板と電気的に接続された配線コードと、を備え、設置面に取り付けられ、感知器回線を内部に引き込むための穴である引き込み口が形成された感知器ベースと、感知器ベースに固定された火災感知器と、の間に形成される引き込み口の空間内に収納可能に構成され、感知器ベースに設けられ、感知器回線が接続された導電性の端子部に配線コードを接続可能にしている。
【発明の効果】
【００１０】
本発明に係る終端装置によれば、火災感知器および既設の感知器ベースに取り付け可能なので、専用の火災感知器や感知器ベースを取り替えずに済むため、コストを抑えることができる。
【図面の簡単な説明】
【００１１】
【図１】本発明の実施の形態に係る終端装置が設けられた火災報知設備の概要構成例図である。
【図２】本発明の実施の形態に係る終端装置に搭載される制御回路の構成の一例である。
【図３】本発明の実施の形態に係る終端装置が取り付けられる火災感知器および既設の感知器ベースの側面図である。
【図４】図３に示す感知器ベースの正面図である。
【図５】本発明の実施の形態に係る終端装置の分解斜視図、および終端装置の基板カバーの上面図である。
【図６】本発明の実施の形態に係る終端装置の一方の端部を切り欠いた斜視図である。
【図７】本発明の実施の形態に係る終端装置が取り付けられた図３に示す感知器ベースの正面図である。
【発明を実施するための形態】
【００１２】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態．
図１は、本発明の実施の形態に係る終端装置４０が設けられた火災報知設備１００の概要構成例図である。なお、図１においては、３つの火災感知器２０が設けられ、感知器回線３の終端の火災感知器２０の所で、感知器回線３に終端抵抗１５を内蔵する終端装置４０を接続して構成したものである。この終端装置４０は、火災受信機１に対して感知器回線３の終端に接続され、平常時に終端抵抗１５を感知器回線３に接続して微少電流を流すことにより、感知器回線３が末端まで接続され途中で断線していないこと、および火災感知器２０に異常が発生していないことを火災受信機１に知らせる装置である。ここで、本実施の形態では火災感知器２０の数は３つであるが、それに限定されるものではない。
【００１３】
火災報知設備１００は、火災感知器２０のそれぞれで発生した不具合を報知することができるとともに、その不具合を火災受信機１で警報させることで把握することを可能にしたものである。
火災報知設備１００は、建物（例えば、ホテル、マンションなどの集合住宅、オフィスビル、商業施設など）の各部屋等に設置される火災感知器２０と、火災感知器２０の検出結果に基づいた警報をするＰ型の火災受信機１とが、感知器回線３であるコモン線３Ａおよびライン線３Ｂにより接続されて構成されている。Ｐ型火災受信機とは、コモン線３Ａ、ライン線３Ｂからなる感知器回線３に接続されている火災感知器２０の電気的な接点が閉じることにより、感知器回線３の電気的な変化に基づいて火災を判断するものである。
また、Ｐ型受信機は、終端抵抗１５を介して微少な電流を感知器回線３に流し、終端抵抗１５による微少電流が流れなくなったときに感知器回線３の断線を判断するものである。
以下、コモン線３Ａおよびライン線３Ｂをまとめて感知器回線３と称する場合がある。
【００１４】
図２は、本発明の実施の形態に係る終端装置４０に搭載される制御回路１０の構成の一例である。
終端装置４０には制御回路１０が搭載されており、制御回路１０には図２に示すように受信回路１２、定電圧回路１１、切離回路１４、判別回路１３、および終端抵抗１５が設けられ、終端抵抗１５は、切離回路１４および感知器回線３に接続されている。
受信回路１２は、感知器回線３の電圧を監視するものである。すなわち、終端装置４０の受信回路１２は、火災感知器２０からの異常信号を、感知器回線３を介して受信する。
定電圧回路１１は、受信回路１２などに動作用の所定の定電圧を供給するものである。
切離回路１４は、判別回路１３の出力に基づいて、終端抵抗１５と感知器回線３との接続を制御するものである。すなわち、判別回路１３は火災感知器２０のいずれかが不具合であると判別するとその判別結果に対応する出力をし、その出力を受信した切離回路１４は感知器回線３と終端抵抗１５との接続を切離し、所定時間経過後に接続し、さらに所定時間経過後に再び切り離す動作を繰り返す。
【００１５】
これにより、Ｐ型の火災受信機１であっても、感知器回線３の断続的な断線を異常信号として検出して断続的に異常を警報することができ、火災感知器２０の不具合を知ることができる。すなわち、本実施の形態に係る火災報知設備１００は、感知器回線３の終端に終端装置４０を接続したので、火災感知器２０の自己点検による結果を受信して制御できる専用の火災受信機ではない火災受信機１でも、火災感知器２０の不具合を報知することができる。
【００１６】
図３は、本発明の実施の形態に係る終端装置４０が取り付けられる火災感知器２０および既設の感知器ベース５０の側面図である。図３は、天井３０に感知器ベース５０が取り付けられ、その感知器ベース５０に火災感知器２０が固定されている様子を表している。
次に、本実施の形態に係る終端装置４０が取り付けられる火災感知器２０の一例である煙感知器について説明する。
【００１７】
火災感知器２０は、その外装を構成するケース本体２１と、そのケース本体２１内に設けられた煙感知ユニット２５とを有して構成される。
ケース本体２１は平面視して円形であり、その表面２２には、裏面２７から表面２２方向に突出した蓋部２４と、その蓋部２４とケース本体２１の表面２２との間に設けられた、煙を導入するための開口部２６とを有して構成される。
なお、蓋部２４は延設部２３を介して、ケース本体２１と一体的に構成される。
また、ケース本体２１の裏面２７には、周方向に沿って図示省略の刃金具が複数設けられている。なお、刃金具については後述する。
【００１８】
次に、煙感知ユニット２５を含むケース本体２１内部の構成について説明する。
煙感知ユニット２５は、例えば円筒状に構成されたもので、側面部の外周面全体が煙を導入する導入部分として構成されている。この側面部の外周面は、煙などの気体が通過可能で、かつ、虫などが侵入しないように防虫金網等で構成されている。
【００１９】
また、煙感知ユニット２５の内部には、図示省略の発光素子と、図示省略の受光素子とが同心円状で、かつ、この同心円の中心と発光素子および受光素子のそれぞれを結ぶ線分が所定の角度となるように配置されている。そして、発光素子と受光素子は侵入する煙を検知するための図示省略の煙センサーを構成している。
【００２０】
この煙感知ユニット２５は、発光素子から定期的に光が出射されている。そして、煙感知ユニット２５は、煙が侵入すると、侵入した煙の粒子によって光が拡散されるため、受光素子に光が到達し受光状態を煙の検知結果として図示省略の警報制御部に出力する。煙感知ユニット２５の内部は例えば迷路(ラビリンス)状に形成されており、外光が煙感知ユニット２５内に直接または間接的に入らないようになっているため、外光が受光素子に受光されることはなく、煙の検知に影響しないようになっている。
【００２１】
図４は、図３に示す感知器ベース５０の正面図である。
次に、本実施の形態に係る終端装置４０が取り付けられる感知器ベース５０の構造について説明する。
感知器ベース５０はケース本体２１と同様に平面視して円形であり、周方向に沿って、導電性の端子部５１および端子部５１と一体成形された刃受金具５２がそれぞれ４つ設けられており、同じく周方向に沿ってネジ穴５３が２つ形成されており、中央部には引き込み口５４が形成されている。
ここで、本実施の形態では端子部５１および刃受金具５２の数は４つ、ネジ穴５３の数は２つであるが、それらに限定されるものではない。
【００２２】
ネジ穴５３は、感知器ベース５０を設置面（本実施の形態では天井３０とする）にネジで取り付けるために設けられたものである。
刃受金具５２は火災感知器２０を感知器ベース５０に固定するためのものであり、火災感知器２０の裏面２７に設けられた刃金具と対になって刃金具と同数設けられ、図３に示すように天井３０に裏面を向けてネジで取り付けられた感知器ベース５０の表面に、火災感知器２０の裏面２７を合わせて回転することにより、刃金具が刃受金具５２に結合して火災感知器２０が感知器ベース５０に固定される。
【００２３】
引き込み口５４は、外部から感知器回線３（コモン線３Ａおよびライン線３Ｂ）を感知器ベース５０内に引き込むために設けられた穴であり、引き込み口５４から感知器ベース５０内に引き込まれた感知器回線３は端子部５１に接続される。そして、端子部５１と一体成形された刃受金具５２と結合した刃金具を介して、火災感知器２０は感知器回線３と電気的に接続される。
【００２４】
図５（ａ）は、本発明の実施の形態に係る終端装置４０の分解斜視図、図５（ｂ）は、終端装置４０の基板カバー６０の上面図である。
終端装置４０は、配線パターンが設けられ、回路部品が実装されることにより制御回路１０が設けられた凸形状（厳密に凸形状でなくてもよい）のプリント基板４１と、プリント基板４１にハンダ付けにより電気的に接続された２本の配線コード４２と、基板カバー６０と、で構成されている。なお、配線コード４２は、プリント基板４１の凸方向に向かって延びるようにハンダ付けされている。
基板カバー６０は、かまぼこ形状や半月形状（厳密にかまぼこ形状や半月形状でなくてもよい）の絶縁体の樹脂で形成され、円弧状の面と反対側の平坦な面（一端面）６４が開口し、内側が空洞となっており、プリント基板４１を内側に取り付けて保護するものである。基板カバー６０内側の両端部には係止部６１が設けられており、プリント基板４１を基板カバー６０内の所定の位置まで挿入すると、フック形状の係止部６１がプリント基板４１の（挿入方向と反対側の）端部４４を保持し、プリント基板４１を基板カバー６０に取り付けることができる。そのため、プリント基板４１が基板カバー６０からずれる、または外れるのを防止することができる。
【００２５】
終端装置４０のプリント基板４１の凸部の一部には中央からずらした位置に切り欠き４３が形成されており、また、基板カバー６０内において、プリント基板４１を正しい方向で挿入した際に、切り欠き４３と対向する位置に出っ張り６３が設けられている。そのため、プリント基板４１を基板カバー６０に取り付ける際に、正しい方向で挿入しないとプリント基板４１を基板カバー６０内の所定の位置まで挿入できず、係止部６１でプリント基板４１を保持できないため、取り付け方向の間違いを防止することができる。
【００２６】
図６は、本発明の実施の形態に係る終端装置４０の一方の端部を切り欠いた斜視図である。
基板カバー６０内側の両端部かつ係止部６１の内側には、図５（ｂ）に示すように外部と連通した穴を２つ有するコード保持部６２が設けられており、基板カバー６０にプリント基板４１を挿入する際に、まずプリント基板４１から延びた２本の配線コード４２を両端部のコード保持部６２の有する穴の一方に、基板カバー６０の内側から外部へ向かってそれぞれ通す。
その後、図６に示すように基板カバー６０にプリント基板４１を挿入し、係止部６１がプリント基板４１の端部４４を保持したら、配線コード４２を折り返すように両端部のコード保持部６２の有する穴のもう一方に外部から基板カバー６０の内側へ向かってそれぞれ通す。
【００２７】
プリント基板４１と配線コード４２との接続部、つまり、はんだ付けした部分は強度的に弱く、配線コード４２に外力が加わり、引っ張られるとプリント基板４１から取れやすかった。そこで、上記のようにして配線コード４２を基板カバー６０のコード保持部６２に取り付けることにより、コード保持部６２の２つの穴の間に形成されたコード当接部に配線コード４２が巻き付くように当接し、配線コード４２がどの方向に引っ張られてもコード保持部６２で力が吸収されるため、外力によって配線コード４２がプリント基板４１から取れてしまうのを防ぐことができる。
【００２８】
図７は、本発明の実施の形態に係る終端装置４０が取り付けられた図３に示す感知器ベース５０の正面図である。図７に示すように、終端装置４０は、縦横（図７の紙面水平方向）が感知器ベース５０の引き込み口５４内に収まる大きさとなっており、厚さ（図７の紙面直交方向）についても、感知器ベース５０と、その感知器ベース５０に固定した火災感知器２０との間に形成される引き込み口５４の空間の厚さよりも薄くなっている。
そのため、終端装置４０は、設置面と、既設の感知器ベース５０と、それに固定した火災感知器２０との間に形成される引き込み口５４の空間内に収納し、取り付けることが可能である。
このとき、終端装置４０の配線コード４２は感知器ベース５０の端子部５１にそれぞれ接続され、終端装置４０は、端子部５１を介して同じく端子部５１に接続された感知器回線３と電気的に接続される。
【００２９】
以上のように、感知器回線３を介して火災感知器２０から異常信号を受信し、異常信号を受信した際に、終端抵抗１５と感知器回線３との接続を断続的に切り離す機能を有する終端装置４０を、火災感知器２０および既設の感知器ベース５０に取り付けることができる。そのため、上記機能を有しない火災報知設備に上記機能を追加したい場合でも、感知器回線３の終端に接続された火災感知器２０および既設の感知器ベース５０に終端装置４０を取り付けることで実現でき、専用の火災感知器や感知器ベースを取り替えずに済むため、コストを抑えることができる。
【００３０】
また、終端装置４０を火災感知器２０および既設の感知器ベース５０に容易に取り付けることができ、取り付けても、引き込み口５４の空間の半分程度は空くため、外部から感知器回線３を既設の感知器ベース５０内に引き込むための穴を新たに設ける必要もない。
【００３１】
また、終端装置４０は火災感知器２０および既設の感知器ベース５０に取り付け可能なため、取り付け前後で火災感知器２０の固定高さ（図３の上下方向）は変わらない。火災感知器２０の固定されている高さが変わると煙の感知性能に影響を及ぼすが、火災感知器２０の固定高さは変わらないため、火災感知器２０における煙の感知性能に影響を与えずに済む。
【００３２】
また、終端装置４０を火災感知器２０および既設の感知器ベース５０に取り付けても、天井３０等の設置面に大きな穴を開ける必要もないため、設置場所を変更する際に設置面の修復が大がかりになるということもない。
【００３３】
また、基板カバー６０内側の両端部には係止部６１が設けられているため、プリント基板４１を基板カバー６０に取り付けた際に、プリント基板４１が基板カバー６０からずれる、または外れるのを防止することができる。
【００３４】
また、終端装置４０のプリント基板４１には切り欠き４３が形成されており、基板カバー６０内の切り欠き４３と対向する位置に出っ張り６３が設けられているため、プリント基板４１を基板カバー６０に取り付ける際に、取り付け方向の間違いを防止することができる。
【００３５】
また、基板カバー６０内側にコード保持部６２が設けられているため、プリント基板４１を基板カバー６０に取り付ける際に、配線コード４２を基板カバー６０のコード保持部６２に取り付けることにより、外力によって配線コード４２がプリント基板４１から取れてしまうのを防ぐことができる。
【００３６】
なお、本実施の形態ではプリント基板４１を凸形状としたが、プリント基板４１は基板カバー６０を取り付けた状態で、既設の感知器ベース５０と、それに固定した火災感知器２０との間に形成される引き込み口５４の空間内に収納し、取り付けることが可能であり、かつ、外部から感知器回線３を既設の感知器ベース５０内に引き込むための空間を確保できるなら、他の形状および大きさでもよい。
また、本実施の形態では基板カバー６０をかまぼこ形状や半月形状としたが、プリント基板４１を内側に取り付けて保護でき、既設の感知器ベース５０と、それに固定した火災感知器２０との間に形成される引き込み口５４の空間内に収納することが可能であり、かつ、外部から感知器回線３を既設の感知器ベース５０内に引き込むための空間を確保できるなら、他の形状および大きさでもよい。
また、本実施の形態では、プリント基板４１を基板カバー６０に収納して保護したが、プリント基板４１を樹脂で固めて保護してもよい。
【符号の説明】
【００３７】
１  火災受信機、３  感知器回線、３Ａ  コモン線、３Ｂ  ライン線、１０  制御回路、１１  定電圧回路、１２  受信回路、１３  判別回路、１４  切離回路、１５  終端抵抗、２０  火災感知器、２１  ケース本体、２２  （ケース本体の）表面、２３  （ケース本体の）延設部、２４  （ケース本体の）蓋部、２５  煙感知ユニット、２６  （ケース本体の）開口部、２７  （ケース本体の）裏面、３０  天井、４０  終端装置、４１  プリント基板、４２  配線コード、４３  （プリント基板の）切り欠き、４４  （プリント基板の）端部、５０  感知器ベース、５１  端子部、５２  刃受金具、５３  （感知器ベースの）ネジ穴、５４  （感知器ベースの）引き込み口、６０  基板カバー、６１  （基板カバーの）係止部、６２  （基板カバーの）コード保持部、６３  （基板カバーの）出っ張り、６４  （基板カバーの）平坦な面、１００  火災報知設備。
【図１】
2014153810.tif 000003
【図２】
2014153810.tif 000004
【図３】
2014153810.tif 000005
【図４】
2014153810.tif 000006
【図５】
2014153810.tif 000007
【図６】
2014153810.tif 000008
【図７】
2014153810.tif 000009